(57)【要約】【課題】  本発明は魚釣用具の取付構造に係り、釣竿外周からのスプール高さやリールの高さを低く抑えることができ、併せて十分な取付強度を確保した魚釣用具の取付構造を提供することを目的とする。【解決手段】  請求項１に係る魚釣用具の取付構造は、一方の魚釣用具に釣竿の長手方向に沿った装着部を形成し、該装着部に、釣竿の長手方向と直交する方向からの固定部材で他方の魚釣用具を圧着固定することを特徴とする。そして、請求項２に係る発明は、請求項１に記載の魚釣用具の取付構造に於て、前記装着部は、スプールを回転自在に支持する魚釣用リールのリール本体の下部に形成されていることを特徴とし、請求項３に係る発明は、請求項２に記載の魚釣用具の取付構造に於て、前記装着部は、側部に側板が装着されるリール本体のフレームの下部に一体形成されていることを特徴とする。【選択図】    図１
2008194025.tif 000002
【特許請求の範囲】
【請求項１】
一方の魚釣用具に釣竿の長手方向に沿った装着部を形成し、該装着部に、釣竿の長手方向と直交する方向からの固定部材で他方の魚釣用具を圧着固定することを特徴とする魚釣用具の取付構造。
【請求項２】
前記装着部は、スプールを回転自在に支持する魚釣用リールのリール本体の下部に形成されていることを特徴とする請求項１に記載の魚釣用具の取付構造。
【請求項３】
前記装着部は、側部に側板が装着されるリール本体のフレームの下部に一体形成されていることを特徴とする請求項２に記載の魚釣用具の取付構造。
【請求項４】
前記装着部は、前部に釣竿の竿杆を、後部に釣竿のグリップ部が取り付くリールシート本体に形成されていることを特徴とする請求項１に記載の魚釣用具の取付構造。
【請求項５】
前部装着部には、他方の魚釣用具が取り付く複数の装着面が形成されていることを特徴とする請求項１乃至請求項４のいずれか１項に記載の魚釣用具の取付構造。
【請求項６】
前記固定部材は、フレームの側部に取り付く側板によって、外部に露出しないように覆われていることを特徴とする請求項１に記載の魚釣用具の取付構造。
【発明の詳細な説明】
【技術分野】
【０００１】
本発明は、魚釣用リールと釣竿を一体的に取り付ける魚釣用具の取付構造に関する。
【背景技術】
【０００２】
リール本体の側板間にスプールを回転自在に支持する両軸受型リールの場合、リール本体を構成するフレームの下部に、釣竿を取り付ける取付脚がリール本体の前後方向に一体形成されている。
【０００３】
しかし、この種の両軸受型リールは、フレームの下部に一体形成される取付脚の連結部をフレームの外径より外側にしなければならない構造上の制約があるため、釣竿外周からのスプールの位置が高くなってリール全体の握持性が悪く、スプールへのサミング操作性も悪くなってしまう欠点があった。
【０００４】
そこで、斯かる不具合を解決するため、特許文献１には、中間部を切り欠いて前記取付脚を釣竿の長手方向の前後に分割形成し、これらを間隙を空けてスプールのフランジ外径の下側の位置より上側のフレームに配置することで、釣竿外周からのスプール高さやリールの高さを低く抑えるようにした魚釣用リールが開示されている。
【特許文献１】実公平６−３９５８５号公報
【発明の開示】
【発明が解決しようとする課題】
【０００５】
而して、特許文献１に開示された構造によれば、釣竿外周からのスプール高さやリールの高さを低く抑えることが可能となるが、中間部を切り欠いて取付脚を前後に分割形成した構造であるため、従来に比し、釣竿に対する取付脚の接触取付面積が少なくて十分な取付強度が得られず、強負荷巻取りや強い衝撃で取付脚がフレームから折損してしまう虞があった。
【０００６】
また、従来、この種の釣竿や両軸受型リール，片軸受型リール等の魚釣用具の取付構造は、釣竿のリールシート本体に固定フードや移動フード等のリール取付部を設け、このリール取付部に魚釣用リールの取付脚の前後を挿入，装着した後、締付け固定金具の操作で取付脚の前後をリール取付部に固定する構造上、前記特許文献１の不具合と同様、釣竿に対する取付脚の接触取付面積が少なくて十分な取付強度が得られず、強負荷巻取り操作等（回転方向に強い力が作用）でガタ付き易い等の課題を残している。
【０００７】
更に、フレームの下部に一体形成された取付脚が釣竿と一体化されるため、釣竿へのリールの取付状態を、釣人の好みや手の大きさ，釣法等を考慮して幅広く対応，展開することができない制約も指摘されていた。
【０００８】
本発明は斯かる実情に鑑み案出されたもので、釣竿外周からのスプール高さやリールの高さを低く抑えることができ、併せて十分な取付強度を確保した魚釣用具の取付構造を提供することを目的とする。
【課題を解決するための手段】
【０００９】
斯かる目的を達成するため、請求項１に係る魚釣用具の取付構造は、一方の魚釣用具に釣竿の長手方向に沿った装着部を形成し、該装着部に、釣竿の長手方向と直交する方向からの固定部材で他方の魚釣用具を圧着固定することを特徴とする。
【００１０】
そして、請求項２に係る発明は、請求項１に記載の魚釣用具の取付構造に於て、前記装着部は、スプールを回転自在に支持する魚釣用リールのリール本体の下部に形成されていることを特徴とし、請求項３に係る発明は、請求項２に記載の魚釣用具の取付構造に於て、前記装着部は、側部に側板が装着されるリール本体のフレームの下部に一体形成されていることを特徴とする。
【００１１】
また、請求項４に係る発明は、請求項１に記載の魚釣用具の取付構造に於て、前記装着部は、前部に釣竿の竿杆を、後部に釣竿のグリップ部が取り付くリールシート本体に形成されていることを特徴とし、請求項５に係る発明は、請求項１乃至請求項４のいずれか１項に記載の魚釣用具の取付構造に於て、前部装着部には、他方の魚釣用具が取り付く複数の装着面が形成されていることを特徴とする。
【００１２】
更にまた、請求項６に係る発明は、請求項１に記載の魚釣用具の取付構造に於て、前記固定部材は、フレームの側部に取り付く側板によって、外部に露出しないように覆われていることを特徴としている。
【発明の効果】
【００１３】
各請求項に係る発明によれば、一方の魚釣用具に釣竿の長手方向に沿った装着部を形成しているため、他方の魚釣用具をこれに装着するに当たり、広い当接面が確保できて十分な取付強度を得ることができる。
【００１４】
そして、請求項２乃至請求項４に係る発明によれば、魚釣用リールと釣竿との連結部を側板の外径より内側に配置することが可能となって、釣竿からの魚釣用リール（スプール）の高さを低く抑えることができ、この結果、リール全体の握持性が良好となった。
【００１５】
また、請求項５に係る発明によれば、装着部に複数の装着面が形成されているため、更に取付強度が向上し、更に請求項６に係る発明によれば、固定部材の頭部を側板で覆って外部に露出しない構造としたので、外観上の見栄えが向上すると共に、海水や異物等の付着による固定部材の耐食性の低下が防止できる利点を有する。
【発明を実施するための最良の形態】
【００１６】
以下、本発明の実施形態を図面に基づいて詳細に説明する。
【００１７】
図１乃至図４は請求項１乃至請求項３，請求項５及び請求項６に係る魚釣用具の取付構造の第一実施形態を示し、図１に於て、１，３はフレーム５の左右のフレーム枠体５ａ，５ｂに取り付く側板で、両側板１，３とフレーム５とで魚釣用リール（両軸受型リール）７のリール本体９が構成され、図３に示すように側板１，３とフレーム枠体５ａ，５ｂは側面視円形状に形成されている。
【００１８】
そして、図１に示すように両側板１，３の内周に装着された軸受１１，１３に、スプール軸１５を介してスプール１７が回転自在に支持されており、左右のフレーム枠体５ａ，５ｂには、スプール１７の左右のフランジ１９，２１に対応して円形状の透孔２３が開口している。
【００１９】
また、側板３側に突出するスプール軸１５には、該スプール軸１５に設けたクラッチ部２５に係脱自在なピニオン２７が回転可能且つその軸方向へスライド可能に取り付けられており、クラッチ部２５とピニオン２７、そして、後述するクラッチレバー２９は、スプール１７を巻取り駆動状態（クラッチＯＮ）とスプールフリー状態（クラッチＯＦＦ）とに切り換えるクラッチ機構３０を構成している。
【００２０】
図１及び図３に示すようにクラッチレバー２９は、側板３の側部上方に装着されており、従来と同様、クラッチレバー２９の操作でクラッチ部２５とピニオン２７とのクラッチ係合を係脱させると、スプール１７が巻取り駆動状態とスプールフリー状態とに切り換わり、スプールフリー状態でのキャスティング操作で、スプール１７に巻回された釣糸が繰り出されるようになっている。
【００２１】
また、図１中、３１は側板３側に装着された釣糸巻取り用のハンドルで、該ハンドル３１が連結されたハンドル軸３３に、前記ピニオン２７に噛合するドライブギヤ３５が回転可能に取り付けられており、スプール１７の巻取り駆動状態でのハンドル３１の回転操作で、その回転力がドライブギヤ３５，ピニオン２７からスプール軸１５に伝達されてスプール１７が釣糸巻取り方向へ回転（巻取り駆動）する。そして、クラッチレバー２９によるクラッチＯＦＦの操作でクラッチ部２５とピニオン２７とのクラッチ係合が解除されて、スプール軸１５へのハンドル３１の回転力が遮断されるようになっている。
【００２２】
そして、前記フレーム５の下部に、魚釣用リール７を釣竿３９に取り付ける装着部４１が設けられており、以下に説明するように装着部４１は支柱４３と装着部本体４６とで構成され、装着部４１には、釣竿３９（他方の魚釣用具）が取り付く装着面として当接面４４と圧着面４７が設けられている。
【００２３】
即ち、図１及び図４に示すようにフレーム５の下部に、平坦なプレート状の支柱４３がフレーム枠体５ａ，５ｂ間に架設されており、該支柱４３は釣竿３９の長手方向に所定の長さ（幅）を以って形成されている。
【００２４】
一方、図１乃至図３に示すように釣竿３９は、魚釣用リール７を取り付けるアルミニウム合金製のリールシート本体３９ａと、その前後に連結された竿杆３９ｂとグリップ部３９ｃとで構成されている。そして、リールシート本体３９ａの上部に、平坦な当接面（リール取付部）４５が釣竿３９の長手方向に所定の範囲に亘って設けられており、該当接面４５に支柱４３の裏面側中央の当接面４４が当接するようになっている。
【００２５】
そして、図１乃至図４に示すように支柱４３の裏面側に、釣竿３９の長手方向と直交する横方向、即ち、反ハンドル側のフレーム枠体５ａ側から釣竿３９の側部外周に当接する厚肉な断面矩形状のブロック状の装着部本体４６が、釣竿３９の長手方向に沿って前記支柱４３の幅と同一の長さを以って形成されており、釣竿３９の側部外周に当接する装着部本体４６の先端は、釣竿３９の側部外周の圧着面３９ｄに沿った円弧状の圧着面４７とされている。
【００２６】
また、図１に示すように装着部本体４６の底部４８は、フレーム枠体５ａの外周と面一に形成されて、フレーム枠体５ａや側板１の径方向外方へ突出しない構造となっている。
【００２７】
そして、装着部本体４６に、釣竿３９の長手方向と直交する横方向、即ち、フレーム枠体５ａ側から装着部本体４６の圧着面４７に亘って２つのネジ孔４９が釣竿３９の長手方向に所定の間隔を空けて形成されると共に、該ネジ孔４９に対応して釣竿３９の側部に２つのネジ孔５１が設けられている。そして、フレーム枠体５ａ側からネジ孔４９，５１に挿入した２本のネジ部材（固定部材）５３で、装着部本体４６の圧着面４７に釣竿３９（リールシート本体３９ａ）を直接圧着固定できるようになっており、図１及び図３に示すようにフレーム枠体５ａに取り付く側板１がネジ部材５３の頭部５５を覆って、該頭部５５が外部に露出しないように構成されている。
【００２８】
本実施形態はこのように構成されているから、魚釣用リール７を釣竿３９に取り付けるには、図１乃至図３に示すようにリールシート本体３９ａの当接面４５上に、支柱４３の裏面側中央の当接面４４を当接させ乍ら、装着部本体４６の先端の圧着面４７に釣竿３９の側部外周を当接させて、フレーム枠体５ａ側からネジ孔４９，５１に挿入したネジ部材５３で前記圧着面４７に釣竿３９をネジ止めすればよい。そして、この後、フレーム枠体５ａに側板１を取り付けて、ネジ部材５３の頭部５５を側板１で覆えばよい。
【００２９】
このように本実施形態は、フレーム５の下部に、リールシート本体３９ａ上部の当接面４５に当接する当接面４４が形成された支柱４３と、釣竿３９の長手方向と直交するフレーム５の横方向から釣竿３９の側部外周に当接するブロック状の装着部本体４６とからなる装着部４１を、釣竿３９の長手方向に沿って設けると共に、該装着部本体４６に沿ってフレーム５の横方向から螺着するネジ部材５３で、装着部本体４６の先端の圧着面４７に釣竿３９を直接固定するように構成したので、図１及び図３に示すように魚釣用リール７と釣竿３９との連結部を側板１，３（フレーム枠体５ａ，５ｂ）の外径より内側に配置することが可能となって、釣竿３９からの魚釣用リール７（スプール１７）の高さを低く抑えることができ、この結果、リール全体の握持性が良好となった。
【００３０】
また、釣竿３９の側部外周の圧着面３９ｄに装着部本体４６の圧着面４７が当接してこれを固定する厚肉な断面矩形状のブロック状の装着部本体４６と、リールシート本体３９ａの当接面４５に裏面側中央の当接面４４が当接する支柱４３が、釣竿３９の長手方向に沿って所定の長さ寸法で形成されているため、圧着面３９ｄと圧着面４７及び当接面４５と当接面４４の釣竿３９の長手方向に沿って形成された複数の装着面を構成する２面で規制固定されているので、特許文献１の従来例に比し、釣竿３９に対する装着部４１の広い装着面が確保できて十分な取付強度を得ることができる。
【００３１】
更にまた、装着部４１に釣竿３９をネジ止めするネジ部材５３の頭部５５を側板１で覆って外部に露出しない構造としたので、外観上の見栄えが向上すると共に、海水や異物等の付着によるネジ部材５３の耐食性の低下が防止できる利点を有する。
【００３２】
尚、前記魚釣用リール７は、装着部４１に釣竿３９を固定するネジ部材５３の頭部５５を側板１で覆ったが、図５に示す請求項１乃至請求項３，請求項５の第一実施形態に於ける魚釣用リール７-1の如く、フレーム枠体５ａ-1に取り付く側板１-1でネジ部材５３の頭部５５を覆わない構造としてもよいし、また、図６に示す請求項１乃至請求項３，請求項５の第二実施形態に於ける魚釣用リール７-2の如く、前記魚釣用リール７-1のフレーム枠体５ａ-1にカバー部材５７を着脱自在に装着して、ネジ部材５３の頭部５５をこのカバー部材５７で覆ってもよく、握持性を考慮してカバー部材５７は側板１-1と面一に形成されている。
【００３３】
そして、その他の構成は図１の実施形態と同様であるので、同一のものには同一符号を付してそれらの説明は省略するが、これらの各実施形態によっても、釣竿３９に対する十分な取付強度を確保し乍ら、釣竿３９からの魚釣用リール７-1，７-2の高さを低く抑えることが可能となってリール全体の握持性が良好となる。
【００３４】
また、図６の魚釣用リール７-2は、ネジ部材５３の頭部５５をカバー部材５７で覆って外部に露出しない構造としたので、図１の魚釣用リール７と同様、外観上の見栄えが向上すると共に、海水や異物等の付着によるネジ部材５３の耐食性の低下が防止できる。
【００３５】
図７は請求項１乃至請求項３及び請求項６に係る魚釣用具の取付構造の一実施形態を示し、図に於て、６１は釣竿３９-1のリールシート本体６３上に装着した固定フードと移動フードに着脱自在に取り付く釣竿３９-1側のリール取付脚で、該リール取付脚６１のハンドル側に、魚釣用リール７-3のフレーム枠体５ｂ-3にネジ止めされる断面Ｌ字状の脚部６５が釣竿３９-1の長手方向に沿って一体に形成され、反ハンドル側に、後述する装着部６７の圧着面７３にネジ止めされるブロック状の脚部６９が釣竿３９-1の長手方向に沿って一体に形成されている。尚、図示しないが釣竿３９-1は、リールシート本体６３とその前後に取り付く竿杆とグリップ部とで構成されている。
【００３６】
魚釣用リール７-3のリール本体９-3を構成するフレーム５-3の下部には、釣竿３９-1の長手方向と直交する横方向、即ち、反ハンドル側のフレーム枠体５ａ-3側から前記脚部６９の平坦な圧着面７１に当接する厚肉な断面矩形状のブロック状の装着部６７が、釣竿３９-1の長手方向に沿って設けられており、前記圧着面７１に当接する装着部６７側の圧着面７３も同じく平坦に形成されている。尚、図７に示すように前記装着部６７は、フレーム枠体５ａ-3の径方向外方へ突出しない構造となっている。
【００３７】
そして、前記装着部６７に、釣竿３９-1の長手方向と直交する横方向、即ち、フレーム枠体５ａ-3側からその圧着面７３に亘って２つのネジ孔７５が、釣竿３９-1の長手方向に所定の間隔を空けて形成されると共に、該ネジ孔７５に対応して前記脚部６９に２つのネジ孔７７が設けられており、フレーム枠体５ａ-3側からネジ孔７５，７７に挿入した２本のネジ部材（固定部材）５３-1で、装着部６７の圧着面７３にリール取付脚６１を介して釣竿３９-1を固定することができるようになっている。そして、フレーム枠体５ａ-3に取り付く側板１がネジ部材５３-1の頭部５５を覆って、該頭部５５が外部に露出しないように構成されている。
【００３８】
その他、図７に於て、７９は装着部６７の上部に突設した位置決め片で、魚釣用リール７−３を釣竿３９-1を取り付ける際に、該位置決め片７９の裏面側に前記脚部６９の上部を当接させて魚釣用リール７-3の位置決めを図るようになっている。
【００３９】
本実施形態はこのように構成されているから、魚釣用リール７-3を釣竿３９-1に取り付けるには、リール取付脚６１をフレーム枠体５ａ-3，５ｂ-3間にネジ止めした後、該リール取付脚６１を釣竿３９-1側の固定フードと移動フードに取り付ければよく、また、フレーム枠体５ａ-3に側板１を取り付けて、ネジ部材５３-1の頭部５５を側板１で覆えばよい。
【００４０】
このように本実施形態も、フレーム５-3の下部に、釣竿３９-1の長手方向と直交するフレーム５-3の横方向から釣竿３９-1側のリール取付脚６１の脚部６９に当接する断面矩形状のブロック状の装着部６７を釣竿３９-1の長手方向に沿って設けると共に、該装着部６７に沿ってフレーム５-3の横方向から螺着するネジ部材５３-1で、装着部６７にリール取付脚６１を介して釣竿３９-1を取り付ける構造としたので、図７に示すように魚釣用リール７-3と釣竿３９-1との連結部を側板１，３（フレーム枠体５ａ-3，５ｂ-3）の外径より内側に配置することが可能となって、釣竿３９-1からの魚釣用リール７-3（スプール１７）の高さを低く抑えることができ、この結果、リール全体の握持性が良好になると共に、特許文献１の従来例に比し、釣竿３９-1に対する十分な取付強度を確保することができることとなった。
【００４１】
また、装着部６７にリール取付脚６１をネジ止めするネジ部材５３-1の頭部５５を側板１で覆った構造としたので、本実施形態によっても、外観上の見栄えが向上すると共に、海水や異物等の付着による耐食性の低下が防止できる利点を有する。
【００４２】
そして、大きさの異なるリール取付脚６１を複数種用意しておき、これらを選択的にフレーム枠体５ａ-3，５ｂ-3間に取付可能とすれば、釣竿３９-1に対する魚釣用リール７-3の取付状態を、釣人の好みや手の大きさ，釣法等を考慮した幅広い対応・展開が可能となる。
【００４３】
図８乃至図１１は請求項１乃至請求項３，請求項５及び請求項６に係る魚釣用具の取付構造の第二実施形態を示し、図８及び図９に於て、８１は釣竿３９-1のリールシート本体６３上の固定フード８３と移動フード８５に着脱自在に取り付くリール取付脚で、リールシート本体６３の上部に当接するリール取付脚８１の脚本体８７の上部中央に、断面矩形状のブロック状の脚部８９が釣竿３９-1の長手方向に沿って突設されている。
【００４４】
一方、図８に示すように魚釣用リール７-4のリール本体９-4を構成するフレーム５-4の下部に、魚釣用リール７-4を釣竿３９-1に取り付ける装着部９７が設けられており、図１の実施形態と同様、装着部９７は、後述する支柱９１と装着部本体９８とで構成されている。
【００４５】
即ち、図８に示すように平坦なプレート状の支柱９１が、フレーム５-4下部のフレーム枠体５ａ-4，５ｂ-4間に架設されており、該支柱９１は釣竿３９-1の長手方向に所定の長さ（幅）を以って形成されている。そして、その裏面側中央の当接面９２に、脚部８９上部の当接面９３が当接するようになっている。
【００４６】
更に、支柱９１の裏面側には、釣竿３９-1の長手方向と直交する横方向、即ち、反ハンドル側のフレーム枠体５ａ-4側から、脚部８９の反ハンドル側側面の圧着面９５に当接する厚肉な断面矩形状のブロック状の装着部本体９８が、釣竿３９-1の長手方向に沿って所定の長さ寸法を以って設けられている。そして、図９に示すように前記支柱９１の前後に、脚部８９に冠着するようにフランジ９９，１０１が設けられてガタ付きの防止が図られている。
【００４７】
そして、前記装着部本体９８に、釣竿３９-1の長手方向と直交する横方向、即ち、フレーム枠体５ａ-4側から装着部本体８９の先端の圧着面１０３に亘って２つのネジ孔１０５が所定の間隔を空けて形成されると共に、該ネジ孔１０５に対応して脚部８９側に２つのネジ孔１０７が設けられており、フレーム枠体５ａ-4側からネジ孔１０５，１０７に螺着した２本のネジ部材５３で、装着部９７にリール取付脚８１を介して釣竿３９-1を固定できるようになっている。そして、図８に示すようにフレーム枠体５ａ-4に取り付く側板１がネジ部材５３の頭部５５を覆って、該頭部５５が外部に露出しないように構成されている。
【００４８】
また、図１０に於て、１０９は前記脚部８９に比し脚部１１１の高さを長尺にしたリール取付脚で、脚部１１１の高さ寸法を除き、リール取付脚１０９のその他の構成は前記リール取付脚８１と同一で、図９及び図１１に示すようにリール取付脚１０９を用いることで、リール取付脚８１を用いた場合に比し釣竿３９-1からの魚釣用リール７-4（スプール１７）の高さを高くすることができるようになっている。尚、その他の構成は図１の実施形態と同様であるので、同一のものには同一符号を付してそれらの説明は省略する。
【００４９】
本実施形態はこのように構成されているから、魚釣用リール７-4を釣竿３９-1に取り付けるには、釣人の好みや手の大きさ，釣法等を考慮してリール取付脚８１，１０９のいずれか一方を釣竿３９-1側に取り付ければよい。そして、例えば図８の如くリール取付脚８１を釣竿３９-1に取り付けた場合には、リール取付脚８１の脚部８９の当接面９３を支柱９１の裏面側中央の当接面９２に当接させ乍ら、装着部本体９８の先端の圧着面１０３を脚部８９の圧着面９５に当接させて、フレーム枠体５ａ-4からネジ孔１０５，１０７に螺着したネジ部材５３で圧着面１０３に釣竿３９-1をネジ止めすればよい。そして、この後、フレーム枠体５ａ-4に側板１を取り付けて、ネジ部材５３の頭部５５を側板１で覆えばよい。
【００５０】
このように本実施形態も、フレーム５-4の下部に設けた支柱９１に、釣竿３９-1の長手方向と直交するフレーム５-4の横方向から釣竿３９-1側のリール取付脚８１，１０９の脚部８９，１０９に当接する断面矩形状のブロック状の装着部９７を釣竿３９-1の長手方向に沿って設けると共に、フレーム５-4の下部に、釣竿３９-1側のリール取付脚８１，１０９の脚部８９，１０９に当接する当接面９２が形成された支柱９１と、釣竿３９-1の長手方向と直交するフレーム５-4の横方向から前記脚部８９，１０９に当接する断面矩形状のブロック状の装着部本体９８とからなる装着部９７を、釣竿３９-1の長手方向に沿って設けると共に、該装着部本体９８に沿ってフレーム５-4の横方向から螺着するネジ部材５３で、装着部９７に釣竿３９-1をリール取付脚８１，１０９を介して固定する構造としたので、図９及び図１１に示すように魚釣用リール７-4と釣竿３９-1との連結部を側板１，３（フレーム枠体５ａ-4，５ｂ-4）の外径より内側に配置することが可能となって、釣竿３９-1からの魚釣用リール７-4（スプール１７）の高さを低く抑えることができ、この結果、リール全体の握持性が良好になると共に、特許文献１の従来例に比し、釣竿３９-1に対する十分な取付強度を確保することができることとなった。
【００５１】
また、本実施形態も、ネジ部材５３の頭部５５を側板１で覆って外部に露出しない構造としたので、外観上の見栄えが向上すると共に、海水や異物等の付着による耐食性の低下が防止できる利点を有する。
【００５２】
更にまた、既述したように本実施形態は、リール取付脚８１，１０９のいずれか一方を選択的に使用可能としたので、釣人の好みや手の大きさ，釣法等を考慮した幅広い積極的な対応・展開が可能である。
【００５３】
図１２は請求項１乃至請求項３，請求項５及び請求項６に係る魚釣用具の取付構造の第三実施形態を示し、本実施形態は、前記釣竿３９，３９-1よりも大径な釣竿３９-2のリールシート本体１１３に装着する魚釣用リール７-5に係り、フレーム５-5の反ハンドル側のフレーム枠体５ａ-5とこれに取り付く側板１-5は、図１の魚釣用リール７に比し大径な側面視円形状に形成されている。尚、ハンドル側のフレーム枠体５ｂ-5は前記フレーム枠体５ｂと同一寸法，同一形状である。
【００５４】
而して、前記魚釣用リール７と同様、フレーム５-5の下部に、魚釣用リール７-5を釣竿３９-2に取り付ける装着部１１７が設けられており、図１の実施形態と同様、本実施形態の装着部１１７も、支柱１１５と装着部本体１１８とで構成され、装着部１１８には、釣竿３９-2（他方の魚釣用具）が取り付く装着面として当接面１１６と圧着面１１９が形成されている。
【００５５】
即ち、フレーム５-5の下部に、平坦なプレート状の支柱１１５がフレーム枠体５ａ-5，５ｂ-5間に架設されており、該支柱１１５は釣竿３９-2の長手方向に所定の長さ（幅）を以って形成されている。そして、リールシート本体１１３の上部に、平坦な当接面（リール取付部）１２０が釣竿３９の長手方向に所定の範囲に亘って設けられており、該当接面１２０に、支柱１１５の裏面側中央の当接面１１６が当接するようになっている。
【００５６】
更に、支柱１１５の裏面側に、フレーム枠体５ａ-5側から釣竿３９-2の側部外周に当接する厚肉な断面矩形状のブロック状の装着部本体１１８が、釣竿３９-2の長手方向に沿って所定の長さ寸法を以って設けられており、釣竿３９-2の側部外周に当接する装着部本体１１８の先端は、釣竿３９-2の側部の外形形状に沿って円弧状の圧着面１１９とされている。
【００５７】
そして、図１の実施形態では、２本のネジ部材５３で装着部４１に釣竿３９を直接ネジ止めしたが、本実施形態は、断面Ｌ字状の支持プレート１２１とネジ部材５３-2を用いて魚釣用リール７-5を釣竿３９-2に取り付けたものである。
【００５８】
支持プレート１２１は、釣竿３９-2の長手方向に装着部本体１１８と略同一寸法を以って形成されており、その一端側には、支柱１１５に設けた係止孔１２３に係止する係止爪１２５が設けられている。
【００５９】
一方、支持プレート１２１の他端側には、装着部本体１１８の下方に位置するフレーム枠体５ａ-5の内周に当接するブロック状の当接部１２７が設けられており、該当接部１２７とフレーム枠体５ａ-5とに、ネジ部材５３-2のネジ孔１２９，１３１がフレーム５-5の横方向に形成されている。そして、図示するように係止孔１２３に係止爪１２５を係止させて、装着部１１７の先端１１９と支柱１１５の裏面側に当接する釣竿３９-2の外周を支持プレート１２１で囲み乍ら、該支持プレート１２１の当接部１２７をフレーム枠体５ａ-5の内周に当接させてこれらをフレーム枠体５ａ-5側からネジ部材５３-2でネジ止めすると、魚釣用リール７-5が釣竿３９-2に固定される。そして、フレーム枠体５ａ-5に側板１-5を取り付けると、ネジ部材５３-2の頭部５５が側板１-5で覆われるようになっている。
【００６０】
本実施形態はこのように構成されているから、既述した手順で支持プレート１２１とネジ部材５２-2を用いて魚釣用リール７-5を釣竿３９-2に取り付ければよく、本実施形態によっても、魚釣用リール７-5と釣竿３９-2との連結部を側板１-5，３（フレーム枠体５ａ-5，５ｂ-5）の外径より内側に配置することが可能となるため、釣竿３９-2からの魚釣用リール７-5（スプール１７）の高さを低く抑えることができ、この結果、リール全体の握持性が良好となる。
【００６１】
また、釣竿３９-2の側部外周に当接してこれを固定する厚肉な断面矩形状のブロック状の装着部本体１１８と、リールシート本体１１３の当接面１２０に裏面側中央の当接面１１６が当接する支柱１１５が、釣竿３９-2の長手方向に沿って所定の長さ寸法で形成されているため、特許文献１の従来例に比し、釣竿３９-2に対する十分な取付強度を確保することができる。
【００６２】
更に、本実施形態も、装着部１１７に釣竿３９-2をネジ止めするネジ部材５３-2の頭部５５を側板１-5で覆って外部に露出しない構造としたので、外観上の見栄えが向上すると共に、海水や異物等の付着による耐食性の低下が防止できる利点を有する。
【００６３】
図１３乃至図１６は請求項１乃至請求項６に係る魚釣用具の取付構造の第一実施形態を示し、本実施形態は、フレーム５の下部に、支柱１３３と装着部本体１３５とからなるリール側装着部１３７を設けると共に、釣竿１３９のリールシート本体１３９ａ側にも、該リール側装着部１３７に対応して積極的に釣竿側装着部１４１を設けたもので、魚釣用リール７-6側のリール側装着部１３７の構成は、図１の装着部４１と略同一構造である。
【００６４】
即ち、図１３中、１３３は魚釣用リール７-6のフレーム５の下部に形成した平坦なプレート状の支柱で、図１４及び図１５に示すように支柱１３３はフレーム枠体５ａ，５ｂ間に架設されて、釣竿１３９の長手方向に所定の長さ（幅）を以って形成されている。
【００６５】
そして、支柱１３３の裏面側に、釣竿１３９の長手方向と直交する横方向、即ち、反ハンドル側のフレーム枠体５ａ側から釣竿１３９に当接する厚肉な断面矩形状のブロック状の装着部本体１３５が、釣竿１３９の長手方向に沿って支柱１３３の幅と同一の長さを以って形成されており、装着部本体１３５の先端は平坦な圧着面１４３とされ、また、前記支柱１３３の裏面側中央は、後述する釣竿１３９側の釣竿側装着部１４１の当接面１４５との当接面１４７として機能するようになっている。また、図１３に示すように装着部本体１３５の底部１４９はフレーム枠体５ａの外周と面一に形成されて、フレーム枠体５ａや側板１の径方向外方へ突出しない構造となっている。
【００６６】
一方、図１５及び図１６に示すように釣竿１３９は、魚釣用リール７-6を取り付けるリールシート本体１３９ａと、その前後に連結された竿杆１３９ｂとグリップ部１３９ｃとで構成されている。そして、リールシート本体１３９ａに、前記リール側装着部１３７に対応して釣竿側装着部１４１が設けられている。
【００６７】
釣竿側装着部１４１は、前記当接面１４７に当接するリールシート本体１３９ａ上部の当接面１４５と、リールシート本体１３９ａの左右側部に形成した平坦な圧着面１５１，１５３とからなり、前記圧着面１４３が、魚釣用リール７-6の仕様に応じ圧着面１５１，１５３のいずれか一方に当接，圧着する。そして、前記当接面１４５と左右の圧着面１５１，１５３上に、５０μ程の肉厚を有するポリエステルフィルム１５５が貼着されている。
【００６８】
更に、図１の実施形態と同様、前記装着部本体１３５に、釣竿１３９の長手方向と直交する横方向、即ち、フレーム枠体５ａ側から装着部本体１３５の圧着面１４３に亘って、２つのネジ孔４９が所定の間隔を空けて形成されると共に、該ネジ孔４９に対応して釣竿１３９の圧着面１５１，１５３間に２つのネジ孔５１が設けられている。そして、フレーム枠体５ａ側からネジ孔４９，５１に挿入した２本のネジ部材（固定部材）５３で、装着部本体１３５の圧着面１４３に釣竿側装着部１４１の圧着面１５１を直接圧着固定できるようになっており、図１及び図３に示すようにフレーム枠体５ａに取り付く側板１がネジ部材５３の頭部５５を覆って、該頭部５５が外部に露出しないように構成されている。
【００６９】
尚、図１６に示すように前記ポリエステルフィルム１５５には、ネジ孔５１に対応してネジ挿通孔１５７が設けられている。そして、その他の構成は図１の実施形態と同様であるので、同一のものには同一符号を付してそれらの説明は省略する。
【００７０】
このように本実施形態は、平坦な圧着面１４３，１５１及び平坦な当接面１４７，１４５の釣竿１３９の長手方向に沿って形成された複数の装着面を構成する２面で規制固定するように構成されているから、本実施形態によっても、図１の実施形態と同様、所期の目的を達成することが可能であることは勿論、平坦な圧着面１４３と圧着面１５１とで取付部位が構成されることにより、加工が容易で強固な取付強度が得られる。
【００７１】
また、本実施形態は、釣竿側装着部１４１の当接面１４５と左右の圧着面１５１，１５３上にポリエステルフィルム１５５を貼着したので、釣竿１３９への魚釣用リール７-6の取付時の圧着性が向上すると共に、これらの傷付き防止が図れる利点を有する。
【００７２】
ところで、前記実施形態では、リール側装着部１３７と釣竿側装着部１４１との固定に用いる固定部材としてネジ部材５３を用いたが、固定部材はネジ部材５３に限定されるものではなく、例えば図１７に示す請求項１乃至請求項６の第二実施形態のように、取付杆１５９を介して釣竿側装着部１４１にリール側装着部１３７を当接させた後、取付杆１５９の端部１６１をカシメてリール側装着部１３７と釣竿側装着部１４１を一体化させてもよい。
【００７３】
尚、図中、１６３はワッシャ、１６５はフレーム枠体５ａ側から装着部本体１３５の圧着面１４３に亘って形成された取付杆挿通孔で、取付杆挿通孔１６５は所定の間隔を空けて２つ形成されている。そして、前記取付杆挿通孔１６５に対応して釣竿１３９の圧着面１５１，１５３間に２つの取付杆挿通孔１６７が設けられており、該取付杆挿通孔１６７に、圧着面１５３側から挿通した取付杆１５９の頭部１６９が係止する段部１７１が設けられている。
【００７４】
また、図１８は請求項１乃至請求項６の第三実施形態を示し、本実施形態は、前記取付杆１５９の形状を変形したもので、図中、１７３は頭部１７５の外周が螺刻された取付杆、１７７はフレーム枠体５ａ側から装着部本体１３５の圧着面１４３に亘って形成された取付杆挿入部で、該取付杆挿入部１７７は所定の間隔を空けて２つ形成されている。
【００７５】
一方、前記取付杆挿入部１７７に対応して釣竿１３９の圧着面１５１，１５３間に２つの取付杆挿通孔１７９が設けられており、該取付杆挿通孔１７９に、圧着面１５３側から挿通した取付杆１７３の頭部１７５が螺着可能な段部１８１が設けられている。
【００７６】
そして、リール側装着部１３７の圧着面１４３と当接面１４７に、釣竿側装着部１４１の圧着面１５１と当接面１４５を夫々当接させ乍ら、取付杆１７３を取付杆挿通孔１７９（リールシート本体１３９ａ）から挿入して頭部１７５を段部１８１にネジ込んだ後、取付杆１７３の端部１８３をスプリングワッシャ１８５を介して圧入状態で止め輪１８７で止めると、圧着面１４３，１５１と当接面１４７，１４５による２面固定に加え、取付杆挿入部１７７でも固定できるようになっている。
【００７７】
従って、本実施形態によっても、既述した各実施形態と同様、所期の目的を達成することができることは勿論、更に強固なリール側装着部１３７と釣竿側装着部１４１の固定が可能となる。
【００７８】
図１９は請求項１乃至請求項６に係る発明をフライリールやチヌリールとして広く知られる片軸受型リールと釣竿との取付構造に適用したもので、図中、１８９は一端側が開口するように略円筒状に形成されたフレームで、該フレーム１８９の一端側に側板１９１が取り付いて魚釣用リール１９３のリール本体１９５が形成されている。
【００７９】
而して、従来と同様、フレーム１８９の中心軸に沿って側板１９１に支軸（スプール軸）１９７が突設され、当該支軸１９７にスプール１９９が軸受（図示せず）を介して回転可能に片持ち支持されている。そして、スプール１９９の反側板側、即ち、外方のフランジ２０１が外部に露出するその一側部２０３の中央に、周知の着脱機構２０５の押しボタン２０７が装着されており、該押しボタン２０７を内方へ押圧操作すると、着脱機構２０５により支軸１９７とスプール１９９側との係止状態が解除されて、スプール１９９が支軸１９７から取り外せるようになっている。
【００８０】
そして、本実施形態も、フレーム１８９の下部に、支柱２０９と装着部本体２１１とからなるリール側装着部２１３を設けると共に、釣竿１３９のリールシート本体１３９ａ側に、該リール側装着部２１３に対応して既述した釣竿側装着部１４１を設けたもので、支柱２０９の他端側が自由端となっている点を除き、リール側装着部２１３の構成は、図１３のリール側装着部１３７と同一構造で、ネジ部材５３の頭部５５は側板１９１で覆われている。
【００８１】
而して、本実施形態によっても、図１３の実施形態と同様、所期の目的を達成することが可能で、このように本発明は両軸受型リールのみならず、片軸受型リールにも適用可能である。
【図面の簡単な説明】
【００８２】
【図１】請求項１乃至請求項３，請求項５及び請求項６の第一実施形態に係る魚釣用具の取付構造の要部切欠き断面図である。
【図２】魚釣用具の取付構造の要部切欠き断面図である。
【図３】魚釣用具の取付構造の側面図である。
【図４】魚釣用具の取付構造の底面図である。
【図５】請求項１乃至請求項３，請求項５の第一実施形態に係る魚釣用具の取付構造の側面図である。
【図６】請求項１乃至請求項３，請求項５の第二実施形態に係る魚釣用具の取付構造の側面図である。
【図７】請求項１乃至請求項３及び請求項６の一実施形態に係る魚釣用具の取付構造の要部切欠き断面図である。
【図８】請求項１乃至請求項３，請求項５及び請求項６の第二実施形態に係る魚釣用具の取付構造の要部切欠き断面図である。
【図９】魚釣用具の取付構造の要部切欠き断面図である。
【図１０】魚釣用具の取付構造の要部切欠き断面図である。
【図１１】魚釣用具の取付構造の要部切欠き断面図である。
【図１２】請求項１乃至請求項３，請求項５及び請求項６の第三実施形態に係る魚釣用具の取付構造の要部切欠き断面図である。
【図１３】請求項１乃至請求項６の第一実施形態に係る魚釣用具の取付構造の要部切欠き断面図である。
【図１４】魚釣用具の取付構造の底面図である。
【図１５】魚釣用具の取付構造の側面図である。
【図１６】魚釣用具の取付構造の要部拡大断面図である。
【図１７】請求項１乃至請求項６の第二実施形態に係る魚釣用具の取付構造の要部拡大断面図である。
【図１８】請求項１乃至請求項６の第三実施形態に係る魚釣用具の取付構造の要部拡大断面図である。
【図１９】請求項１乃至請求項６の第四実施形態に係る魚釣用具の取付構造の要部切欠き断面図である。
【符号の説明】
【００８３】
１，１-1，１-5，３，１９１  側板
５，５-3，５-4，５-5，１８９  フレーム
７，７-1，７-2，７-3，７-4，７-5，７-6，１９３  魚釣用リール
９，９-3，９-4，１９５  リール本体
１５  スプール軸
１７  スプール
３９，３９-1，３９-2，１３９  釣竿
３９ａ，６３，１１３，１３９ａ  リールシート本体
４１，６７，９７，１１７  装着部
４３，９１，１１５，１３３，２０９  支柱
４４，４５，９２，９３，１１６，１２０，１４５，１４７  当接面
４７，７１，７３，９５，１０３，１１９，１４３，１５１，１５３  圧着面
５３，５３-1，５３-2  ネジ部材
５７  カバー部材
６１，８１，１０９  リール取付脚
１２１  支持プレート
１２３  係止孔
１２５  係止爪
１３７，２１３  リール側装着部
１４１  釣竿側装着部
１５５  ポリエステルフィルム
１５９，１７３  取付杆
１９７  支軸
【図１】
2008194025.tif 000003
【図２】
2008194025.tif 000004
【図３】
2008194025.tif 000005
【図４】
2008194025.tif 000006
【図５】
2008194025.tif 000007
【図６】
2008194025.tif 000008
【図７】
2008194025.tif 000009
【図８】
2008194025.tif 000010
【図９】
2008194025.tif 000011
【図１０】
2008194025.tif 000012
【図１１】
2008194025.tif 000013
【図１２】
2008194025.tif 000014
【図１３】
2008194025.tif 000015
【図１４】
2008194025.tif 000016
【図１５】
2008194025.tif 000017
【図１６】
2008194025.tif 000018
【図１７】
2008194025.tif 000019
【図１８】
2008194025.tif 000020
【図１９】
2008194025.tif 000021